(57)【要約】      （修正有）【課題】入球口及び開閉部材の配置の自由度を向上させることが可能な遊技機の提供を目的とする。【解決手段】本発明の遊技機では、遊技盤１１の第１開口部５１と第２開口部５２を含む部分に、前側から第１カバーケース３５と第２カバーケース４５が組み付けられると共に、後側から大入賞ユニット６０が組み付けられている。第１カバーケース３５には、第１大入賞口が形成され、第２カバーケース４５には、第２大入賞口が形成されている。大入賞ユニット６０には、第１大入賞口を開閉する第１開閉部材３２と、第第１開閉部材３２を駆動する第１駆動源と、第２大入賞口を開閉する第２開閉部材４２と、第２開閉部材４２を駆動する第２駆動源と、が備えられている。【選択図】図５
2017086527.tif 000002
【特許請求の範囲】
【請求項１】
遊技球が流下可能な遊技領域が前面に形成された遊技盤と、
前記遊技領域を流下してきた遊技球を受け入れ可能な第１入球口及び第２入球口と、
前記第１入球口を開閉する第１開閉部材と、
前記第２入球口を開閉する第２開閉部材と、を備えた遊技機において、
前記遊技盤を貫通して、前記遊技領域内で開口した第１開口領域及び第２開口領域と、
前記遊技盤のうち前記第１開口領域及び前記第２開口領域を含む部分に前側から重ねて固定され、前記第１入球口と前記第２入球口とが形成されたカバー部材と、
前記第１開閉部材と、前記第１開閉部材を駆動する第１駆動源と、前記第２開閉部材と、前記第２開閉部材を駆動する第２駆動源と、を一体に備えて、前記遊技盤のうち前記第１開口領域及び前記第２開口領域を含む部分に後側から重ねて固定された開閉部材ユニットと、を有する遊技機。
【請求項２】
前記カバー部材には、前記第１開口領域の前方に位置して後側に開放したケース部が設けられると共に、
前記第１入球口は、上方側又は側方側に開放して前記ケース部の内外を連通させる連通口により構成され、
前記第１開閉部材は、前記第１開口領域に後側から挿通された状態で前記ケース部に受容されると共に、前記連通口を閉塞する閉位置と、前記連通口を開放する開位置とに配置される請求項１に記載の遊技機。
【請求項３】
前記カバー部材には、前記第２開口領域に連通する貫通孔を有するプレート部が設けられると共に
前記第２入球口は、前記プレート部の前記貫通孔により構成され、
前記開閉部材ユニットには、前側に開放して前記第２開口領域に連絡すると共に、遊技球を受容可能な受容凹部が備えられ、
前記第２開閉部材は、前記受容凹部の下端縁を中心に回動して前記受容凹部を開閉する請求項１又は２に記載の遊技機。
【請求項４】
前記カバー部材は、前記第１開口領域の前方に配置されて前記第１入球口を備えた第１カバー部位と、前記第２開口領域の前方に配置されて前記第２入球口を備えた第２カバー部位と、を別体にして備えた請求項１乃至３のうち何れか１の請求項に記載の遊技機。
【発明の詳細な説明】
【技術分野】
【０００１】
本発明は、遊技盤の前面に形成された遊技領域を流下してきた遊技球を受け入れ可能な入球口と、その入球口を開閉する開閉部材と、を備えた遊技機に関する。
【背景技術】
【０００２】
従来、この種の遊技機として、始動入賞口と、遊技盤の前面に沿って回動して始動入賞口を開閉する開閉部材と、その開閉部材を駆動する駆動源と、を一体に備えた始動入賞ユニットが、遊技盤を貫通する装着孔に前側から挿通されて遊技盤の前面に固定されたものが知られている（例えば、特許文献１参照）。
（例えば、特許文献１参照）。
【先行技術文献】
【特許文献】
【０００３】
【特許文献１】特開２００９−１１１０９０号公報（段落［００３９］〜［００４０］、図４）
【発明の概要】
【発明が解決しようとする課題】
【０００４】
しかしながら、上述した従来の遊技機では、遊技盤に形成される装着孔を始動入賞ユニットが通過可能な大きさに形成する必要があるため、装着孔の配置が制限され、結果として、始動入賞口及び開閉部材の配置の自由度が低くなるという問題があった。
【０００５】
本発明は、上記事情に鑑みてなされたもので、入球口及び開閉部材の配置の自由度を向上させることが可能な遊技機の提供を目的とする。
【課題を解決するための手段】
【０００６】
上記目的を達成するためになされた請求項１の発明は、遊技球が流下可能な遊技領域が前面に形成された遊技盤と、前記遊技領域を流下してきた遊技球を受け入れ可能な第１入球口及び第２入球口と、前記第１入球口を開閉する第１開閉部材と、前記第２入球口を開閉する第２開閉部材と、を備えた遊技機において、前記遊技盤を貫通して、前記遊技領域内で開口した第１開口領域及び第２開口領域と、前記遊技盤のうち前記第１開口領域及び前記第２開口領域を含む部分に前側から重ねて固定され、前記第１入球口と前記第２入球口とが形成されたカバー部材と、前記第１開閉部材と、前記第１開閉部材を駆動する第１駆動源と、前記第２開閉部材と、前記第２開閉部材を駆動する第２駆動源と、を一体に備えて、前記遊技盤のうち前記第１開口領域及び前記第２開口領域を含む部分に後側から重ねて固定された開閉部材ユニットと、を有する遊技機である。
【０００７】
請求項２の発明は、前記カバー部材には、前記第１開口領域の前方に位置して後側に開放したケース部が設けられると共に、前記第１入球口は、上方側又は側方側に開放して前記ケース部の内外を連通させる連通口により構成され、前記第１開閉部材は、前記第１開口領域に後側から挿通された状態で前記ケース部に受容されると共に、前記連通口を閉塞する閉位置と、前記連通口を開放する開位置とに配置される請求項１に記載の遊技機である。
【０００８】
請求項３の発明は、前記カバー部材には、前記第２開口領域に連通する貫通孔を有するプレート部が設けられると共に前記第２入球口は、前記プレート部の前記貫通孔により構成され、前記開閉部材ユニットには、前側に開放して前記第２開口領域に連絡すると共に、遊技球を受容可能な受容凹部が備えられ、前記第２開閉部材は、前記受容凹部の下端円を中心に回動して前記受容凹部を開閉する請求項１又は２に記載の遊技機である。
【０００９】
請求項４の発明は、前記カバー部材は、前記第１開口領域の前方に配置されて前記第１入球口を備えた第１カバー部位と、前記第２開口領域の前方に配置されて前記第２入球口を備えた第２カバー部位と、を別体にして備えた請求項１乃至３のうち何れか１の請求項に記載の遊技機である。
【発明の効果】
【００１０】
［請求項１の発明］
本発明では、遊技盤の第１開口領域及び第２開口領域を含む部分に前側からカバー部材が取り付けられることで、第１入球口及び第２入球口が形成される。また、遊技盤の第１開口領域及び第２開口領域を含む部分に後側から開閉部材ユニットが重ねて固定されることで、第１入球口を開閉する第１開閉部材、第１開閉部材を駆動する第１駆動源、第２入球口を開閉する第２開閉部材及び第２開閉部材を駆動する第２駆動源が配設される。このように、本発明では、遊技盤に入球口とその入球口を開閉する開閉部材を設置するために、カバー部材と開閉部材ユニットとを遊技盤の前側と後側とから取り付ける構成となっているので、従来の遊技機のように遊技盤の開口領域に前側から開閉部材ユニットを挿通する必要がなくなる。これにより、遊技盤に形成される開口部の配置の自由度を向上させることが可能となり、入球口と開閉部材の配置の自由度を向上させることが可能となる。しかも、本発明では、１つの開閉部材ユニットを遊技盤に固定することで、２つの開閉部材と２つの駆動源とを一度に設置することが可能となるので、それら開閉部材及び駆動源の設置を容易に行うことが可能となる。
【００１１】
［請求項２の発明］
本発明では、遊技盤にカバー部材と開閉部材ユニットを取り付けることで、上方側又は側方側に開放した第１入球口と、第１入球口を開閉する第１開閉部材と、第１開閉部材を駆動する第１駆動源と、を設置することが可能となる。
【００１２】
［請求項３の発明］
本発明では、遊技盤にカバー部材と開閉部材ユニットを取り付けることで、前側に開放した第２入球口と、第２入球口を開閉する第２開閉部材と、第２開閉部材を駆動する第２駆動源と、を設置することが可能となる。
【００１３】
［請求項４の発明］
本発明によれば、カバー部材のうち第１開口領域を覆う部位と第２開口領域を覆う部位とを別々に着脱することができるので、各部位の交換を容易に行うことが可能となる。
【図面の簡単な説明】
【００１４】
【図１】本発明の一実施形態に係る遊技機の正面図
【図２】遊技盤の正面図
【図３】裏ユニットの正面図
【図４】第１大入賞部及び第２大入賞部を前方から見た斜視図
【図５】第１大入賞部及び第２大入賞部の分解斜視図
【図６】（Ａ）第１カバー部材の斜視図、（Ｂ）第２カバー部材の斜視図
【図７】大入賞ユニットの前方斜視図
【図８】大入賞ユニットの後方斜視図
【図９】（Ａ）第１開閉部材が閉状態のときの第１駆動源を模式的に示す図、（Ｂ）第１開閉部材が開状態のときの第１駆動源を模式的に示す図
【図１０】組み付け前の第１開閉部材と第１カバー部材の側断面図
【図１１】組み付け後の第１開閉部材と第１カバー部材の側断面図
【図１２】閉位置の第１開閉部材と第１カバー部材の（Ａ）前方斜視図、（Ｂ）正面図
【図１３】開位置の第１開閉部材と第１カバー部材の（Ａ）前方斜視図、（Ｂ）正面図
【図１４】遊技機の電気的な構成を示すブロック図
【図１５】第１メイン中継基板と第２メイン中継基板との接続及び第１サブ中継基板と第２サブ中継基板との接続を模式的に示す図
【図１６】裏ユニット及び大入賞ユニットの前方斜視図
【図１７】裏ユニット及び大入賞ユニットの後方斜視図
【図１８】変形例に係る第１大入賞部を模式的に示す図
【発明を実施するための形態】
【００１５】
以下、本発明をパチンコ遊技機に適用した一実施形態を図１〜図１７に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す裏ユニット１７が重ねて配置されている。裏ユニット１７には、例えば、種々の演出役物装置が組み付けられている。
【００１６】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１（図２参照）に向けて弾き出される。
【００１７】
図２に示すように、遊技盤１１の前面からは、遊技領域Ｒ１を包囲するガイドレール１２が突出している。ガイドレール１２は、遊技盤１１の外縁部を周回するように配置されている。
【００１８】
遊技盤１１のうち遊技領域Ｒ１の中央には、表示開口１１Ｈが貫通形成されており、その表示開口１１Ｈに後側から表示装置１３が対向している。表示装置１３は、例えば、液晶モジュールで構成され、その前面が遊技に関する演出を行う表示画面１３Ｇとなっている。なお、詳細には、表示画面１３Ｇは、裏ユニット１７（図３参照）の後側から裏ユニット１７の開口部１７Ｋと遊技盤１１の表示開口１１Ｈを通して遊技者に視認可能となっている。また、図２の例では、遊技盤１１の後側に、表示画面１３Ｇに前側から重なる略円環状の演出役物１９が配置されている。
【００１９】
遊技盤１１の前面中央には、前方から見て表示画面１３Ｇを囲むように表示装飾枠２３が取り付けられている。表示装飾枠２３は、遊技盤１１の前面側から表示開口１１Ｈに嵌め込まれ、表示開口１１Ｈの内側に張り出すと共に遊技盤１１の前面から突出している。そして、遊技領域Ｒ１を流下する遊技球が、表示装飾枠２３の前側を通過して表示装飾枠２３の内側に進入しないように構成されている。
【００２０】
遊技領域Ｒ１のうち表示装飾枠２３の下方における左右方向の中央部には、始動入賞部１４が設けられている。始動入賞部１４は、第１と第２の始動入賞口１４Ａ，１４Ｂを上下に間隔をあけて備えている。図４に示すように、第１の始動入賞口１４Ａは、上側に開放したポケット構造になっている。また、第２の始動入賞口１４Ｂは、前側に開放し、開閉扉１４Ｔにより開閉される。開閉扉１４Ｔは、通常は、第２の始動入賞口１４Ｂを閉塞する閉位置に配置され、遊技領域Ｒ１のうち表示装飾枠２３の左側と右下に設けられた第１と第２の始動ゲート１８Ａ，１８Ｂ（図２参照）を遊技球が通過したときに行われる普通図柄当否判定で当りとなったことを起因にして、第２の始動入賞口１４Ｂを開放する開位置に配置される。第１と第２の始動入賞口１４Ａ，１４Ｂの何れかの始動入賞口に遊技球が入球（入賞）すると、特別図柄当否判定が行われる。特別図柄当否判定の判定結果は、表示装置１３の表示画面１３Ｇにて報知される。特別図柄当否判定の結果が当りとなると、大当り遊技状態となり、大当り遊技が実行される。一方、特別図柄当否判定の結果が外れであると、通常の遊技状態が続く。
【００２１】
遊技領域Ｒ１のうち表示装飾枠２３の右側下方には、第１大入賞部３０及び第２大入賞部４０が設けられている。第１大入賞部３０は、遊技領域Ｒ１の右側の縁部に配置されて左側に開放した第１大入賞口３１と、第１大入賞口３１を開閉する第１開閉部材３２と、を備えている。第１開閉部材３２は、通常は、鉛直方向に沿って延びる起立姿勢をなして第１大入賞口３１を閉塞する閉位置（図１２（Ａ）及び図１２（Ｂ）参照）に配置されている。そして、大当り遊技状態において所定の条件が成立すると、第１開閉部材３２は、下端部を中心に反時計方向に回動して、第１大入賞口３１を開放する開位置（図１３（Ａ）及び図１３（Ｂ）参照）に配置される。なお、第１大入賞部３０は、第１開閉部材３２が閉位置に配置されたときに閉状態となり、第１開閉部材３２が開位置に配置されたときに開状態となる。
【００２２】
第２大入賞部４０は、上述した第２の始動ゲート１８Ｂの下方に配置されて前側に開放した第２大入賞口４１と、第２大入賞口４１を開閉する第２開閉部材４２と、を備えている。第２開閉部材４２は、扉状になっていて、通常は、遊技盤１１の前面と略平行に配置されて第２大入賞口を閉塞する閉位置に配置されている。そして、大当り遊技状態において所定の条件が成立すると、第２開閉部材４２は、下端部を中心に回動して、第２大入賞口４１を閉塞する閉位置に配置される。
【００２３】
遊技領域Ｒ１には、上述した始動入賞口１４Ａ，１４Ｂ及び大入賞口３１，４１のほかに、複数の一般入賞口２０が備えられている。これらの入賞口１４Ａ，１４Ｂ，２０，３１，４１に遊技球が入球（入賞）すると、遊技者に特典（賞球）が付与される。また、遊技領域Ｒ１の下端部を含む複数箇所には、各入賞口１４Ａ，１４Ｂ，２０，３１，４１とは別に、遊技者に特典（賞球）を付与することなく遊技領域Ｒ１の外側に排出するためのアウト口１６が設けられている。
【００２４】
ここで、本実施形態では、第１大入賞部３０の第１大入賞口３１が本発明の「第１入球口」に相当し、第２大入賞部４０の第２大入賞口４１が本発明の「第２入球口」に相当する。以下、第１大入賞部３０と第２大入賞部４０について詳説する。
【００２５】
図５に示すように、第１大入賞部３０及び第２大入賞部４０は、遊技盤１１に、第１カバー部材３５と、第２カバー部材４５と、第１開閉部材３２及び第２開閉部材４２を一体にして備えた大入賞ユニット６０と、を組み付けることで構成されている。具体的には、遊技盤１１には、第１開口部５１と、第２開口部５２と、が貫通形成されていて、第１カバー部材３５は、第１開口部５１を前側から覆うように組み付けられ、第２カバー部材４５は、第２開口部５２を前側から覆うように組み付けられる。また、大入賞ユニット６０は、遊技盤１１の後面に組み付けられる。
【００２６】
図６（Ａ）に示すように、第１カバー部材３５は、後側に開放したケース部３６と、ケース部３６の後端開口縁から外側に張り出した張出固定片３７と、を備えて、張出固定片３７が遊技盤１１の前面に宛がわれた状態に固定される。ケース部３６は、遊技盤１１と略平行に配置される前面壁３６Ｚと、前面壁３６Ｚの外縁部から後側に延びて遊技盤１１に突き当てられる外周壁３６Ｈと、からなり、外周壁３６Ｈのうち左側を向く部分には、ケース部３６の内外を連通させる連通口３６Ａが形成されている。そして、第１カバー部材３５が遊技盤１１の前面に固定されたときに、ケース部３６の連通口３６Ａによって第１大入賞口３１が形成される。張出固定片３７には、ケース部３６の外周部における上部と左側部とから張り出した第１固定片３７Ａと、ケース部３６の外周部における下部から張り出した第２固定片３７Ｂと、が備えられ、第１固定片３７Ａは、連通口３６Ａの後端開口縁を構成している。このように、本実施形態では、張出固定片３７（詳細には、第１固定片３７Ａ）によって第１カバー部材３５の連通口３６Ａの後端開口縁が形成されるので、連通口３６の開口縁の強度アップが図られている。なお、張出固定片３７は、遊技盤１１の前面に重ねられるので、張出固定片３７に装飾を施すことで、遊技領域Ｒ１を装飾することが可能となる。
【００２７】
第１カバー部材３５は、ケース部３６の下方に、左側に開放した１対のポケット構造部３８，３８を上下に並べて備えている。ケース部３６と上側のポケット構造部３８との間は、張出固定片３７（詳細には、第２固定片３７Ｂ）と、ガイドレール１２に沿って延びる連絡壁３９と、によって連絡されている。そして、第１カバー部材３５が遊技盤１１の前面に固定されたときに、各ポケット構造部３８によって一般入賞口２０が形成される。なお、下側のポケット構造部３８の下端部からは、遊技盤１１の前面に宛がわれる延長固定片３８Ｔと、ガイドレール１２に沿って配置される延長壁３８Ｈと、が下方に向かって突出している。
【００２８】
図６（Ｂ）に示すように、第２カバー部材４５は、横長矩形状のカバー開口４６Ａが形成されたカバープレート４６を有し、このカバープレート４６が遊技盤１１の前面に重ねられた状態で固定される。ここで、図５に示すように、遊技盤１１に形成された第２開口部５２は、横長矩形状をなす大開口部５２Ａの上辺部中央に小開口部５２Ｂが繋がった凸形状をなしていて、カバー開口４６Ａは、大開口部５２Ａに前側から重ねられる。なお、カバー開口４６Ａは、大開口部５２Ａよりも若干幅狭に形成されている。
【００２９】
図６（Ｂ）に示すように、カバープレート４６のうちカバー開口４６Ａより上側の部分からは、後側に開放した門形突部４７が突出している。詳細には、カバープレート４６の上縁部には、矩形状の切欠部（図示せず）が形成されていて、門形突部４７は、切欠部を左右に跨ぐように配置されている。そして、球検出センサ４９が切欠部に後側から挿通されて門形突部４７に装着されることで、上述した第２の始動ゲート１８Ｂ（図２参照）が形成される。門形突部４７に装着された球検出センサ４９は、第２開口部５２の小開口部５２Ｂ（図５参照）に受容される。
【００３０】
カバープレート４６のうちカバー開口４６Ａより下側の部分からは、左下がりに傾斜した誘導壁４８が起立している。誘導壁４８は、上方から流下してきた遊技球を受け止めて、遊技領域Ｒ１の下端部中央にあるアウト口１６（図２参照）へと誘導する。
【００３１】
図７、図８及び図１４に示すように、大入賞ユニット６０は、固定ベース６１に、第１大入賞部３０及び第２大入賞部４０に関する複数の部材を組み付けてなる。詳細には、固定ベース６１には、図１４に示されるように、第１開閉部材３２及び第２開閉部材４２のほか、第１大入賞口３１に入賞した遊技球を検出する第１大入賞センサ３１Ｓ、第１開閉部材３２を駆動するための第１駆動源３２Ｋ、第２大入賞口４１に入賞した遊技球を検出する第２大入賞センサ４１Ｓ、第２開閉部材４２を駆動する第２駆動源４２Ｋ、一般入賞口２０，２０に入賞した遊技球を検出する一般入賞センサ２０Ｓ，２０Ｓ、それらセンサ２０Ｓ，３１Ｓ，４１Ｓ及び駆動源３２Ｋ，４２Ｋから延びた複数のケーブル９１（図１５参照）が接続される第１メイン中継基板８１等が組み付けられている。また、固定ベース６１には、第１大入賞部３０及び第２大入賞部４０を光により装飾するための複数の発光素子群を実装してなる発光基板８８が複数組み付けられると共に、それら複数の発光基板８８から延びた複数のケーブル９３（図１５参照）が接続される第１サブ中継基板８６が組み付けられている。
【００３２】
図７及び図８に示すように、固定ベース６１は、前後方向に扁平なプレート部６２と、プレート部６２の下端部から後側に突出した後方突部６３と、を有している。後方突部６３には、第１メイン中継基板８１及び第１サブ中継基板８６が組み付けられている。
【００３３】
プレート部６２は、後側から見て略Ｌ字状をなし、そのＬ字の縦辺部６２Ａには、第１開閉部材３２、第１駆動源３２Ｋ等の第１大入賞部３０に関する部材が組み付けられている。具体的には、第１駆動源３２Ｋは、縦辺部６２Ａにおける上端部の後面に組み付けられている（図８参照）。また、縦辺部６２Ａの上端部の前面には、左側に開放し且つ遊技球を受容可能な第１入球部屋６４が形成されている（図７参照）。第１入球部屋６４は、遊技盤１１と略平行に配置されるベース壁６４Ｂと、ベース壁６４Ｂの上部、右側部及び下部から起立して左側に開放した囲壁６４Ｈと、を有している。ベース壁６４Ｂの右下隅部には、第１入球部屋６４に受容された遊技球を排出する排出孔（図示せず）が設けられている。第１開閉部材３２は、ベース壁６４Ｂの左下隅部に回動可能に支持され、第１駆動源３２Ｋからの動力を受けて囲壁６４Ｈの開放部分を開閉する。なお、詳細には、縦辺部６２Ａには、前側に突出した下駄部６５が設けられていて、第１入球部屋６４は、下駄部６５の前面から突出して形成されている。
【００３４】
図９（Ａ）及び図９（Ｂ）には、第１駆動源３２Ｋによる第１開閉部材３２の駆動機構が模式的に示されている。本実施形態では、第１駆動源３２Ｋは、ソレノイド７０で構成されていて、横方向に移動可能なプランジャ７２がコイル収容部７１に挿通されている。そして、プランジャ７２のうちコイル収容部７１と反対側の端部から張り出したフランジ部７２Ｆに装着されたジャケット７３が、第１開閉部材３２と一体に回動する回動部材７４に連結している。これにより、プランジャ７２の移動に伴って、第１開閉部材３２が回動する。なお、図９（Ａ）に示すように、ジャケット７３とコイル収容部７１との間には、圧縮コイルバネ７５が設けられていて、電源オフ時等のようにコイル収容部７１のコイルに電流が流れていない場合には、プランジャ７２がコイル収容部７１から離れる方向に付勢されて、第１開閉部材３２は閉位置に配置される。
【００３５】
図７及び図８に示すように、プレート部６２の横辺部６２Ｂには、第２開閉部材４２、第２駆動源４２Ｋ等の第２大入賞部４０に関する部材が組み付けられている。具体的には、第２駆動源４２Ｋは、横辺部６２Ｂの後面に組み付けられている。また、横辺部６２Ｂには、前方に開口し且つ遊技球を受容可能な第２入球部屋６７が形成されている。第２入球部屋６７の開口は、第２カバー部材４５のカバー開口４６Ａと略同じ大きさの横長矩形状をなしている。また、第２入球部屋６７の底壁には、第２入球部屋６７に受容された遊技球を排出する排出孔（図示せず）が設けられている。第２開閉部材４２は、第２入球部屋６７の開口縁における左右両側の下端部に支持され、第２駆動源４２Ｋからの動力を受けて第２入球部屋６７の下端開口縁を中心に回動する。そして、第２開閉部材４２が遊技盤１１の前面と略平行に配置されると、第２入球部屋６７が閉塞され、第２開閉部材４２が前倒しになると、第２入球部屋６７が開放される。なお、詳細には、横辺部６２Ｂの前面には、矩形状突部６８が形成されていて、第２入球部屋６７は、矩形状突部６８の前面で開口している。
【００３６】
さて、図１０及び図１１に示すように、遊技盤１１に大入賞ユニット６０と第１カバー部材３５が組み付けられると、大入賞ユニット６０の下駄部６５が遊技盤１１の第１開口部５１内に突入する。この状態で、下駄部６５の前面は遊技盤１１の前面と略面一に配置される（図１１参照）。従って、下駄部６５から前方に突出する第１入球部屋６４は、遊技盤１１の前面よりも前側に配置される。ここで、第１ケース部材３５のケース部３６は第１開口部５１に前側から重ねられ、第１入球部屋６４はケース部３６内に収容される（図１１及び図１２（Ａ）参照）。そして、第１入球部屋６４における囲壁６４Ｈの開放部分がケース部３６の連通口３６Ａの側方に重ねられ、連通口３６Ａにより形成される第１大入賞口３１が第１開閉部材３２により開閉される（図１２（Ａ）及び図１３（Ａ）参照）。これにより、第１入賞部３０が形成される。
【００３７】
なお、図５に示すように、遊技盤１１のうち第１開口部５１の下方には、ポケット構造部３８，３８によって形成される一般入賞口２０，２０へ入賞した遊技球を遊技盤１１の後側へ取り込むための貫通孔５３が形成されている。また、図７に示すように、入賞ユニット６０の縦辺部６２Ａには、遊技盤１１に形成された貫通孔５３（図５参照）に連通する１対の球排出路６６，６６が開口している。球排出路６６の途中には、一般入賞センサ２０Ｓ（図１４参照）が設けられている。
【００３８】
図１２（Ａ）及び図１２（Ｂ）には、第１大入賞部３０が閉状態のときの大入賞ユニット６０と第１カバー部材３５が示されている。図１２（Ａ）に示すように、ケース部３６内に収容された第１入球部屋６４のベース壁６４Ｂは、第１ケース部材３５の張出固定片３７（詳細には、第１固定片３７Ａ）と略面一に配置されている。また、図１２（Ｂ）に示すように、第１開閉部材３２は、第１ケース部材３５の第１固定片３７Ａよりも右側（即ち、ケース部３６側）で第１固定片３７Ａの右側縁部に沿って延在し、ケース部３６内に収まるように配置されている。
【００３９】
図１３（Ａ）及び図１３（Ｂ）には、第１大入賞部３０が開状態のときの大入賞ユニット６０と第１カバー部材３５が示されている。両図に示されるように、閉状態において、第１開閉部材３２は、第１入球部屋６４の左下隅部から左上方へ向かって突出する。この状態で、第１開閉部材３２は第１固定片３７Ａの右側縁部（詳細には、連通口３６Ａの後端開口縁となる部分）を横切るように配置され、第１開閉部材３２の下側部分がケース部３６内に収まる一方、第１開閉部材３２の上側部分が第１固定片３７Ａに前側から重ねられる。
【００４０】
このように、本実施形態の遊技機１０では、第１大入賞部３０が閉状態のときに、第１開閉部材３２が連通口３６Ａの後端開口縁に沿って延在してケース部３６内に収まるので、第１カバー部材３５を着脱するときに第１固定片３７Ａが第１開閉部材３２と干渉することを抑制可能となる。また、第１大入賞部３０が開状態のときには、第１開閉部材３２の後側に第１固定片３７Ａが重なるので、第１開閉部材３２の回動スペースを確保することが可能となる。また、本実施形態では、電源オフ時には、圧縮コイルバネ７５（図９参照）の付勢力によって第１開閉部材３２が閉位置に配置されるので、大入賞ユニット６０又は第１カバー部材３５を遊技盤１１に着脱する際に、第１開閉部材３２をわざわざ閉位置に配置する必要がなくなり、大入賞ユニット６０又は第１カバー部材３５の着脱を容易に行うことが可能となる。
【００４１】
図４及び図５に示されるように、遊技盤１１に大入賞ユニット６０と第２カバー部材４５が組み付けられると、矩形状突部６８が第２開口部５２内に突入する。この状態で、矩形状突部６８の前面は遊技盤１１の前面と略面一に配置され、第２入球部屋６７の開口端は遊技盤１１の前面と略同じ前後位置に配置される。そして、第２カバー部材４５のカバー開口４６Ａによって第２大入賞口４１が形成され、その第２大入賞口４１が第２開閉部材４２により開閉されることとなる。これにより、第２大入賞部４０が形成される。
【００４２】
なお、ここで、第２開閉部材４２は、第２入球部屋６７の下端開口縁を中心に回動し、何れの回動位置においても、前方から見て第２カバー部材４５のカバー開口４６Ａ内に収まる。従って、第２開閉部材４２が任意の回動位置に配置されていても、大入賞ユニット６０又は第２カバー部材４５を遊技盤１１に着脱する際に、第２開閉部材４２が第２カバー部材４５又は遊技盤１１と干渉することが抑制される。
【００４３】
ところで、図１４に示すように、大入賞ユニット６０に組み付けられた第１メイン中継基板８１は、大入賞ユニット６０に組み付けられた複数の部材（具体的には、第１大入賞センサ３１Ｓ、第１駆動源３２Ｋ、第２大入賞センサ４１Ｓ等）と第２メイン中継基板８２とを電気的に接続する。また、第２メイン中継基板８２は、主制御基板８０に接続される。即ち、大入賞ユニット６０に組み付けられた複数の部材は、第１メイン中継基板８１及び第２メイン中継基板８２を介して、主制御基板８０に接続される。
【００４４】
主制御基板８０は、大当り遊技に関する制御を行う。具体的には、主制御基板８０は、第１大入賞部３０について以下の制御を行う。即ち、主制御基板８０は、第１開閉部材３２を駆動して第１大入賞口３１を開閉すると共に、第１大入賞センサ３１Ｓからの検出信号を受けたことに起因して図示しない払出制御基板に制御信号を出力し、遊技者に賞球を付与する。主制御基板８０は、第２大入賞部４０についても、第１大入賞部３０と同様の制御を行う。そして、主制御基板８０が大当り遊技に関する制御を行う際に、第１メイン中継基板８１及び第２メイン中継基板８２は、主制御基板８０と大入賞ユニット６０に組み付けられた複数の部材との間で信号を中継する。
【００４５】
図１５に示すように、第１メイン中継基板８１には、大入賞ユニット６０に組み付けられた複数の部材から延びる複数のケーブル９１が接続される複数の接続端子８１Ａと、複数のケーブルを一纏めにしてなる複合ケーブル９２が接続される複合接続端子８１Ｂと、が備えられていて、第１メイン中継基板８１から延びる複合ケーブル９２が、第２メイン中継基板８２に備えられた複合接続端子８２Ｂに接続される。このように、第１メイン中継基板８１と第２メイン中継基板８２との間は、１本の複合ケーブル９２によって接続されている。
【００４６】
図１７に示すように、主制御基板８０及び第２メイン中継基板８２は、裏ユニット１７の下辺部１７Ｂの後面に組み付けられている。具体的には、主制御基板８０は、前方から見て下辺部１７の右側部分（即ち、裏ユニット１７を後側から見た図１７においては左側部分）に配置され、第２メイン中継基板８２は、主制御基板８０の後側に重ねて配置されている。
【００４７】
ここで、図１６に示すように、大入賞ユニット６０は、前方から見て遊技盤１１の右下部分に組み付けられ、裏ユニット１７の右下隅部１７Ｃ（図１７参照）に前側から重ねられる。詳細には、大入賞ユニット６０は、プレート部６２のＬ字（図７及び図８参照）が裏ユニット１７の右辺部１７Ｒと下辺部１７Ｂで構成されるＬ字に重なるように配置される。そして、第１メイン中継基板８１を備えた後方突部６３（図８参照）が、裏ユニット１７の右下隅部１７Ｃに突き合わされる。このように、本実施形態では、第１メイン中継基板８１は、大入賞ユニット６０のうち第２メイン中継基板８２に近い側の部分に配置されているので、第１メイン中継基板８１と第２メイン中継基板８２との間の距離を短くすることが可能となり、複合ケーブル９２（図１５参照）の取り回しが容易となる。
【００４８】
図１４に示すように、大入賞ユニット６０に組み付けられた第１サブ中継基板８６は、大入賞ユニット６０に組み付けられた複数の発光基板８８と第２サブ中継基板８７とを電気的に接続する。また、第２サブ中継基板８７は、サブ制御基板８５に接続される。即ち、大入賞ユニット６０に組み付けられた複数の部材は、第１サブ中継基板８６及び第２サブ中継基板８７を介して、サブ制御基板８５に接続される。
【００４９】
サブ制御基板８５は、演出に関する制御を行う。具体的には、サブ制御基板８５は、第１大入賞部３０及び第２大入賞部４０を光により演出する際に、大入賞ユニット６０の複数の発光基板８８に実装された発光素子を点灯制御する。そして、サブ制御基板８５が発光基板８８の発光素子を制御する際に、第１メイン中継基板８１及び第２メイン中継基板８２は、サブ制御基板８５と複数の発光基板８８との間で信号を中継する。なお、本実施形態の遊技機１０では、大当り遊技の進行に関する部材の制御と、演出に関する部材の制御を別々の制御基板（主制御基板８０とサブ制御基板８５）で行われるので、各制御基板の処理速度の向上が図られている。
【００５０】
図１５に示すように、第１サブ中継基板８６には、複数の発光基板８８から延びる複数のケーブル９３が接続される複数の接続端子８６Ａと、複数のケーブルを一纏めにしてなる複合ケーブル９４が接続される複合接続端子８６Ｂと、が備えられていて、第１サブ中継基板８６から延びる複合ケーブル９４が、第２サブ中継基板８７に備えられた複合接続端子８７Ｂに接続される。このように、第１サブ中継基板８６と第２サブ中継基板８７との間は、１本の複合ケーブル９４によって接続されている。
【００５１】
図１７に示すように、サブ制御基板８５及び第２サブ中継基板８７は、主制御基板８０及び第２中継基板８２と同様に、裏ユニット１７の下辺部１７Ｂの後面に組み付けられている。具体的には、サブ制御基板８５は、前方から見て下辺部１７Ｂの左側部分（裏ユニット１７を後側から見た図１７においては右側部分）に配置され、第２サブ中継基板８７は、サブ制御基板８５の後側に重ねて配置されている。
【００５２】
ここで、上述したように、大入賞ユニット６０の後方突部６３（図８参照）は、裏ユニット１７の右下隅部１７Ｃに突き合わされていて、この後方突部６３に第２サブ中継基板８６が組み付けられている。従って、第１サブ中継基板８６は、大入賞ユニット６０のうち第２サブ中継基板８７に近い側の部分に配置されることになり、第１サブ中継基板８６と第２サブ中継基板８７との間の距離を短くすることが可能となる。これにより、複合ケーブル９４（図１５参照）の取り回しが容易となる。
【００５３】
なお、図８及び図１７に示されるように、第１メイン中継基板８１と第１サブ中継基板８６とは、後方突部６３の右側部分と左側部分とに配置される（後方突部６１を後側から見た図８においては、第１メイン中継基板８１が左側に、第１サブ中継基板８６が右側に配置されている。）。また、上述したように、第２メイン中継基板８２と第２サブ中継基板８７とは、裏ユニット１７の下辺部１７Ｂの右側部分と左側部分とに配置される（裏ユニット１７を後側から見た図１７においては、第２メイン中継基板８２が左側に、第２サブ中継基板８７が右側に配置されている。）。言い換えれば、第１メイン中継基板８１と第２メイン中継基板８２とは、前方から見て右側に配置され、第１サブ中継基板８６と第２サブ中継基板８７とは、前方から見て左側に配置されている。このように、第１メイン中継基板８１と第１サブ中継基板８６とは、第２メイン中継基板８２と第２サブ中継基板８７の左右の並びに対応して配置されているので、第１メイン中継基板８１と第２メイン中継基板８２との間の距離、及び、第１サブ中継基板８６と第２サブ中継基板８７との間の距離を短くして、複合ケーブル９２，９４の取り回しが一層容易となる。
【００５４】
本実施形態の遊技機１０の構成に関する説明は以上である。なお、本実施形態では、
第１開口部５１と第２開口部５２が本発明の「第１開口領域」と「第２開口領域」に相当し、大入賞ユニット６０が本発明の「開閉部材ユニット」に相当する。また、第１カバー部材３５及び第２カバー部材４５が本発明の「カバー部材」に相当し、第１カバー部材３５が本発明の「第１カバー部位」に、第２カバー部材４５が本発明の「第２カバー部位」にそれぞれ相当する。また、第２入球部屋６７が本発明の「受容凹部」に相当する。
【００５５】
次に、遊技機１０の作用効果について説明する。本実施形態の遊技機１０では、遊技盤１１の第１開口部５１及び第２開口部５２を含む部分に前側から第１カバー部材３５と第２カバー部材４５が取り付けられることで、第１大入賞口３１及び第２大入賞口４１が形成される。また、遊技盤１１の第１開口部５１及び第２開口部５２を含む部分に後側から大入賞ユニット６０が重ねて固定されることで、第１大入賞口３１を開閉する第１開閉部材３２、第１開閉部材３２を駆動する第１駆動源３２Ｋ、第２大入賞口４１を開閉する第２開閉部材４２及び第２開閉部材４２を駆動する第２駆動源４２Ｋが配設される。このように、遊技機１０では、遊技盤１１に大入賞口３１，４１とその大入賞口３１，４１を開閉する開閉部材３２，４２を設置するために、第１カバー部材３５及び第２カバー部材４５と、大入賞ユニット６０と、を遊技盤１１の前側と後側とから取り付ける構成となっているので、従来の遊技機のように遊技盤１１の開口部に前側から大入賞ユニット６０を挿通する必要がなくなる。これにより、遊技盤１１に形成される第１開口部５１及び第２開口部５２の配置の自由度を向上させることが可能となり、大入賞口３１，４１と開閉部材３２，４２の配置の自由度を向上させることが可能となる。しかも、本実施形態の遊技機１０では、１つの大入賞ユニット６０を遊技盤１１に固定することで、２つの開閉部材３２，４２と２つの駆動源３２Ｋ，４２Ｋとを一度に設置することが可能となるので、それら開閉部材３２，４２及び駆動源３２Ｋ，４２Ｋの設置を容易に行うことが可能となる。
【００５６】
また、本実施形態の遊技機１０では、第１開口部５１を前側から覆う第１カバー部材３５と、第２開口部５２を前側から覆う第２カバー部材４５と、を別体にして備えているので、遊技盤１１の第１開口部５１を前側から覆う部位と第２開口部５２を覆う部位とを別々に着脱することが可能となり、各部位の交換を容易に行うことが可能となる
【００５７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）上記実施形態では、本発明を、２つの大入賞口３１，４１とそれら２つの大入賞口３１，４１を開閉する開閉部材３２，４２を有する２つの大入賞部３０，４０に適用した例を示したが、２つの始動入賞口とそれら２つ始動入賞口を開閉する開閉部材を有する２つの始動入賞部に適用してもよいし、１つの始動入賞部と１つの大入賞部とに適用してもよい。
【００５９】
（２）上記実施形態では、第１大入賞口３１が左側に開放していたが、右側に開放していてもよいし、上側に開放していてもよい（図１８（Ａ）参照）。また、第１大入賞口３１は、斜め上方（例えば、左斜め上方）に開放してもよい（図１８（Ｂ）参照）。この場合、第１大入賞口３１は、上方側と側方側の両方に開放していると言える。
【００６０】
（３）上記実施形態では、連通口３６Ａの後端開口縁が張出固定片３７の第１固定片３７Ａによって形成されていたが、例えば、第１固定片３７Ａをケース部３６の上部からのみ張り出させて、連通口３６Ａの後端開口縁が張出固定片３７で形成されない構成としてもよい。
【００６１】
（４）上記実施形態では、第１開閉部材３２は、遊技盤１１の前面に沿って回動する構成であったが、遊技盤１１の前面に沿って直動する構成であってもよい。具体的には、第１開閉部材３２は、横方向に直動して連通口３６Ａの奥行方向に進退する構成であってもよい。
【００６２】
（５）上記実施形態では、本発明に係る「第１入球口」及び「連通口」は、上方、左方、右方のうちの何れか１の方向に開放している例を示したが、例えば、左右の両方向に開放する場合や上方と左方とに開放する場合のように、２方向に開放してもよい。なお、第１入球口が左右両方向に開放する場合は、左右両方に第１開閉部材を備えることで第１入球口を開閉することが可能となる（図１８（Ｃ）参照）。
【００６３】
（６）上記実施形態において、第１カバー部材３５と第２カバー部材４５とが一体に形成されていてもよい。
【００６４】
（７）上記実施形態では、本発明に係る「第１開口領域」と「第２開口領域」が、遊技盤に形成された別々の開口部（第１開口部５１と第２開口部５２）で構成されていたが、１つの開口部の一部で構成されてもよい。具体的には、１つの開口部の上側部分が第１カバー部材３５で覆われ、下側部分が第２カバー部材４５で覆われる場合、開口部の上側部分によって本発明の「第１開口領域」が構成され、開口部の下側部分によって本発明の「第２開口領域」が構成される。
【符号の説明】
【００６５】
１０    遊技機
１１    遊技盤
３１    第１大入賞口（第１入球口）
３２    第１開閉部材
３２Ｋ    第１駆動源
３５    第１カバー部材（第１カバー部位）
３６    ケース部
３６Ａ    連通口
３７Ａ    第１固定片（連通口形成部）
４１    第２大入賞口（第２入球口）
４２    第２開閉部材
４２Ｋ    第２駆動源
４５    第２カバー部材（第２カバー部位）
５１    第１開口部（第１開口領域）
５２    第２開口部（第２開口領域）
６０    大入賞ユニット（開閉部材ユニット）
６７    第２入球部屋（受容凹部）
【図１】
2017086527.tif 000003
【図２】
2017086527.tif 000004
【図３】
2017086527.tif 000005
【図４】
2017086527.tif 000006
【図５】
2017086527.tif 000007
【図６】
2017086527.tif 000008
【図７】
2017086527.tif 000009
【図８】
2017086527.tif 000010
【図９】
2017086527.tif 000011
【図１０】
2017086527.tif 000012
【図１１】
2017086527.tif 000013
【図１２】
2017086527.tif 000014
【図１３】
2017086527.tif 000015
【図１４】
2017086527.tif 000016
【図１５】
2017086527.tif 000017
【図１６】
2017086527.tif 000018
【図１７】
2017086527.tif 000019
【図１８】
2017086527.tif 000020
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が前面に形成された遊技盤と、
前記遊技領域を流下してきた遊技球を受け入れ可能な第１入球口及び第２入球口と、
前記第１入球口を開閉する第１開閉部材と、
前記第２入球口を開閉する第２開閉部材と、を備えた遊技機において、
前記遊技盤を貫通して、前記遊技領域内で開口した第１開口領域及び第２開口領域と、
前記遊技盤のうち前記第１開口領域及び前記第２開口領域を含む部分に前側から重ねて固定され、前記第１入球口と前記第２入球口とが形成されたカバー部材と、
前記第１開閉部材と、前記第１開閉部材を駆動する第１駆動源と、前記第２開閉部材と、前記第２開閉部材を駆動する第２駆動源と、を一体に備えて、前記遊技盤のうち前記第１開口領域及び前記第２開口領域を含む部分に後側から重ねて固定された開閉部材ユニットと、を有し、
前記開閉部材ユニットには、前記第１開口領域に突入して前記遊技盤の前面と略面一に配置される下駄部が備えられ、
前記カバー部材には、前記第１開口領域の開口縁及び前記下駄部に重ねられる張出固定片が備えられている遊技機。
【手続補正２】
【補正対象書類名】明細書
【補正対象項目名】０００６
【補正方法】変更
【補正の内容】
【０００６】
上記目的を達成するためになされた請求項１の発明は、遊技球が流下可能な遊技領域が前面に形成された遊技盤と、前記遊技領域を流下してきた遊技球を受け入れ可能な第１入球口及び第２入球口と、前記第１入球口を開閉する第１開閉部材と、前記第２入球口を開閉する第２開閉部材と、を備えた遊技機において、前記遊技盤を貫通して、前記遊技領域内で開口した第１開口領域及び第２開口領域と、前記遊技盤のうち前記第１開口領域及び前記第２開口領域を含む部分に前側から重ねて固定され、前記第１入球口と前記第２入球口とが形成されたカバー部材と、前記第１開閉部材と、前記第１開閉部材を駆動する第１駆動源と、前記第２開閉部材と、前記第２開閉部材を駆動する第２駆動源と、を一体に備えて、前記遊技盤のうち前記第１開口領域及び前記第２開口領域を含む部分に後側から重ねて固定された開閉部材ユニットと、を有し、前記開閉部材ユニットには、前記第１開口領域に突入して前記遊技盤の前面と略面一に配置される下駄部が備えられ、前記カバー部材には、前記第１開口領域の開口縁及び前記下駄部に重ねられる張出固定片が備えられている遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００６４
【補正方法】変更
【補正の内容】
【００６４】
（７）上記実施形態では、本発明に係る「第１開口領域」と「第２開口領域」が、遊技盤に形成された別々の開口部（第１開口部５１と第２開口部５２）で構成されていたが、１つの開口部の一部で構成されてもよい。具体的には、１つの開口部の上側部分が第１カバー部材３５で覆われ、下側部分が第２カバー部材４５で覆われる場合、開口部の上側部分によって本発明の「第１開口領域」が構成され、開口部の下側部分によって本発明の「第２開口領域」が構成される。
なお、上記実施形態及び他の実施形態（１）〜（７）には、以下の［１］〜［４］の構成が含まれている。
［１］
遊技球が流下可能な遊技領域が前面に形成された遊技盤と、
前記遊技領域を流下してきた遊技球を受け入れ可能な第１入球口及び第２入球口と、
前記第１入球口を開閉する第１開閉部材と、
前記第２入球口を開閉する第２開閉部材と、を備えた遊技機において、
前記遊技盤を貫通して、前記遊技領域内で開口した第１開口領域及び第２開口領域と、
前記遊技盤のうち前記第１開口領域及び前記第２開口領域を含む部分に前側から重ねて固定され、前記第１入球口と前記第２入球口とが形成されたカバー部材と、
前記第１開閉部材と、前記第１開閉部材を駆動する第１駆動源と、前記第２開閉部材と、前記第２開閉部材を駆動する第２駆動源と、を一体に備えて、前記遊技盤のうち前記第１開口領域及び前記第２開口領域を含む部分に後側から重ねて固定された開閉部材ユニットと、を有する遊技機。
本構成では、遊技盤の第１開口領域及び第２開口領域を含む部分に前側からカバー部材が取り付けられることで、第１入球口及び第２入球口が形成される。また、遊技盤の第１開口領域及び第２開口領域を含む部分に後側から開閉部材ユニットが重ねて固定されることで、第１入球口を開閉する第１開閉部材、第１開閉部材を駆動する第１駆動源、第２入球口を開閉する第２開閉部材及び第２開閉部材を駆動する第２駆動源が配設される。このように、本構成では、遊技盤に入球口とその入球口を開閉する開閉部材を設置するために、カバー部材と開閉部材ユニットとを遊技盤の前側と後側とから取り付ける構成となっているので、従来の遊技機のように遊技盤の開口領域に前側から開閉部材ユニットを挿通する必要がなくなる。これにより、遊技盤に形成される開口部の配置の自由度を向上させることが可能となり、入球口と開閉部材の配置の自由度を向上させることが可能となる。しかも、本構成では、１つの開閉部材ユニットを遊技盤に固定することで、２つの開閉部材と２つの駆動源とを一度に設置することが可能となるので、それら開閉部材及び駆動源の設置を容易に行うことが可能となる。
［２］
前記カバー部材には、前記第１開口領域の前方に位置して後側に開放したケース部が設けられると共に、
前記第１入球口は、上方側又は側方側に開放して前記ケース部の内外を連通させる連通口により構成され、
前記第１開閉部材は、前記第１開口領域に後側から挿通された状態で前記ケース部に受容されると共に、前記連通口を閉塞する閉位置と、前記連通口を開放する開位置とに配置される［１］に記載の遊技機。
本構成では、遊技盤にカバー部材と開閉部材ユニットを取り付けることで、上方側又は側方側に開放した第１入球口と、第１入球口を開閉する第１開閉部材と、第１開閉部材を駆動する第１駆動源と、を設置することが可能となる。
［３］
前記カバー部材には、前記第２開口領域に連通する貫通孔を有するプレート部が設けられると共に
前記第２入球口は、前記プレート部の前記貫通孔により構成され、
前記開閉部材ユニットには、前側に開放して前記第２開口領域に連絡すると共に、遊技球を受容可能な受容凹部が備えられ、
前記第２開閉部材は、前記受容凹部の下端縁を中心に回動して前記受容凹部を開閉する［１］又は［２］に記載の遊技機。
本構成では、遊技盤にカバー部材と開閉部材ユニットを取り付けることで、前側に開放した第２入球口と、第２入球口を開閉する第２開閉部材と、第２開閉部材を駆動する第２駆動源と、を設置することが可能となる。
［４］
前記カバー部材は、前記第１開口領域の前方に配置されて前記第１入球口を備えた第１カバー部位と、前記第２開口領域の前方に配置されて前記第２入球口を備えた第２カバー部位と、を別体にして備えた［１］乃至［３］のうち何れか１に記載の遊技機。
本構成によれば、カバー部材のうち第１開口領域を覆う部位と第２開口領域を覆う部位とを別々に着脱することができるので、各部位の交換を容易に行うことが可能となる。